(57)【要約】  皮膚の水又は脂質レベルを判定するシステム（１００）及び方法が提供される。当該システム（１００）は、皮膚に接触するのに適する少なくとも２つの電極（１０８）と、当該少なくとも２つの電極（１０８）を横切る周波数で電気信号を生成する信号発生器（１０６）とを備える。当該システム（１００）は、少なくとも２つの電極（１０８）間の誘電率を測定する。当該システム（１００）は、さらに、測定された誘電率及び電気信号の周波数に基づいて、皮膚の水又は脂質レベルを判定する。
2021508527.tif 000002
【特許請求の範囲】
【請求項１】
皮膚の水分又は脂質のレベルを判定するシステムであって、以下の、
皮膚に接触するのに適する少なくとも２つの電極、及び
前記少なくとも２つの電極を横切る周波数で電気信号を生成する信号発生器、
を備え、ここで
前記少なくとも２つの電極間の誘電率を測定し、及び、
前記測定された誘電率と電気信号の周波数に基づいて、皮膚の水分又は脂質のレベルを判定する、
システム。
【請求項２】
信号発生器が、第１周波数範囲の第１周波数で電気信号を生成し、信号の周波数が前記第１周波数の場合、システムは、測定された誘電率に基づいて皮膚の水分レベルを判定する、請求項１に記載のシステム。
【請求項３】
第１周波数範囲が、１０〜１０００Ｈｚである、請求項２に記載のシステム。
【請求項４】
第１周波数範囲が、１０〜５０Ｈｚ、又は１５０〜７５０Ｈｚである、請求項２又は３に記載のシステム。
【請求項５】
信号発生器が、第２周波数範囲の第２周波数で電気信号を生成し、信号の周波数が前記第２周波数の場合、システムが、測定された誘電率に基づいて皮膚の脂質レベルを判定する、請求項１〜４のいずれか一項に記載のシステム。
【請求項６】
第２周波数範囲は、第１周波数範囲と異なる、請求項２〜３のいずれか一項に従属する請求項５に記載のシステム。
【請求項７】
第２周波数範囲が、１〜５０ｋＨｚ、又は１〜１００ＭＨｚである、請求項５又は６に記載のシステム。
【請求項８】
複数の周波数での導電率を測定して、複数の導電率測定値を獲得する、請求項１〜７いずれか一項に記載のシステム。
【請求項９】
複数の導電率測定値から、皮膚の水分又は脂質レベルの平均を判定して、皮膚の水分又は脂質のレベルを判定する、請求項８に記載のシステム。
【請求項１０】
測定された誘電率を、皮膚の誘電率が周波数によって変化する態様を記載した1又はそれ以上の所定のプロファイルと比較し、及び、
前記測定された誘電率と無線周波数信号の前記周波数との比較に基づいて、皮膚の水分又は脂質のレベルを判定する、
請求項１〜９のいずれか一項に記載のシステム。
【請求項１１】
さらに、判定された水分又は脂質のレベルに基づいて、皮膚の状態を判定する、請求項１〜１０のいずれか一項に記載のシステム。
【請求項１２】
さらに、判定された皮膚状態に基づいて、推奨するスキンケアを決定する、請求項１１に記載のシステム。
【請求項１３】
皮膚の水分又は脂質のレベルを判定するシステムを作動させる方法であって、前記システムは、皮膚に接触するのに適する少なくとも２つの電極と、前記少なくとも２つの電極を横切る周波数で電気信号を生成する信号発生器を備え、ここで、前記方法は、以下の工程：
前記少なくとも２つの電極間の誘電率を測定する工程、及び、
前記測定された誘電率と電気信号の周波数に基づいて、皮膚の水分又は脂質のレベルを判定する工程、
を含む、方法。
【請求項１４】
コンピュータ読取可能媒体を備えるコンピュータプログラムであって、前記コンピュータ読取可能媒体には、具現化されたコンピュータ読取可能コードがあり、前記コンピュータ読取可能コードは、適当なコンピュータ又はプロセッサによって実行されると、前記コンピュータ又はプロセッサが、請求項１３に記載の方法を実行する、コンピュータプログラム。
【発明の詳細な説明】
【技術分野】
【０００１】
本発明は、皮膚の水分及び脂質を判定するシステム及び方法に関する。
【背景技術】
【０００２】
肌の表面脂質（例：皮脂）と水分（例：水分補給）のレベルは、肌の見た目と肌の健康を決定する重要な要素と考えられる。当該成分間の適当なバランスは、健康な肌の指標であり、肌の完全性を保護し、維持する上で中心的機能を担う。皮膚の水分補給と脂質保持能は、主に角質層（ＳＣ）に関連する。ＳＣは、角質細胞と細胞間脂質二重層マトリクスで構成され、水分損失防御として機能する。ＳＣの保水性は、（ｉ）天然保湿因子（ＮＭＦ）と総称される天然保湿剤の存在と、（ｉｉ）ＳＣの細胞間脂質が規則的に配置され、表皮からの水分損失の防御バリアを形成することに依存する。
【０００３】
一般に、皮膚に１０〜２０％の水分が含まれると柔軟性が維持されるが、１０％未満に低下すると脆くなる。皮膚脂質（皮脂等）は、真皮にある皮脂腺が産生する脂肪酸、中性脂肪、タンパク質等の分子の混合物である。皮膚脂質には、角質層の水分を封入して保持し、蒸発や細菌感染を防いで、肌をなめらかに保ち、柔軟性を保つ機能がある。皮脂排泄率（ＳＥＲ）は、脂質（例えば皮脂）の産生量に影響を受け、皮脂腺の生理的活動と密接に関連する。これは、皮脂腺障害や吹き出物・ニキビの病態形成において重要な情報である。
【０００４】
脂質と水分量の最適バランスは、化粧品の観点から重要であり、肌に輝きのある滑らかな質感と自然な色素沈着の外観をもたらす。脂質が過剰に生成すると毛穴が詰まり、シミの原因になりうる。十分量の肌の水分補給と脂質により、肌が滑らかで柔らかくしなやかになるが、水分が不足すると、肌がくすんで見えたり、ひび割れたりして老けて見えることがある。肌の防御機能や水分保持機能が低下すると、乾燥しやすく荒れた肌になり、感染症に罹患しやすくなる可能性がある。
【発明の概要】
【発明が解決しようとする課題】
【０００５】
上記のように、水分及び脂質含有量は、皮膚の全体的な健康状態を決定する上で重要な因子であり、例えば、皮膚の静電容量又は電流伝導率を測定し、当該測定値に基づいて皮膚上の水分を検出する水分測定装置が存在する。しかしながら、当該測定は、実際には、皮膚の水分（例えば、ハイドレーション（hydration））レベル及び脂質（例えば、油分）レベルともに依存する場合があり、当該装置では不正確な場合がありうることが、本明細書の発明者らによって観察されてきた。例えば、当該装置で測定されるハイドレーションレベルは、同一に水和された皮膚の２つのパッチを測定した場合でも、皮膚の表面脂質レベルに応じて変化しうる。したがって、皮膚の水分又は脂質含有量のレベルを判定するシステム及び方法を提供することが望ましい。
【課題を解決するための手段】
【０００６】
第１の側面では、皮膚の水又は脂質のレベルを判定するシステムが提供される。前記システムは、皮膚に接触するのに適する少なくとも２つの電極と、前記少なくとも２つの電極を横切る周波数で電気信号を生成する信号発生器を備える。前記システムは、前記少なくとも２つの電極間の誘電率を測定し、及び、測定された誘電率と電気信号の周波数に基づいて、皮膚の水分又は脂質のレベルを判定する。
【０００７】
ある実施形態では、前記信号発生器が、第１周波数範囲の第１周波数で電気信号を生成してよい。当該実施形態では、前記システムは、信号の周波数が前記第１周波数の場合、前記測定された誘電率に基づいて、皮膚の水分レベルを判定してよい。
【０００８】
ある実施形態では、第１周波数範囲が、１０〜１０００Ｈｚであってよい。ある実施形態では、第１周波数範囲が、１０〜５０Ｈｚであってよい。ある実施形態では、第１周波数範囲が、１５０〜７５０Ｈｚであってよい。
【０００９】
ある実施形態では、信号発生器が、第２周波数範囲の第２周波数で電気信号を生成してよい。当該実施形態では、信号の周波数が前記第２周波数の場合、システムが、測定された誘電率に基づいて皮膚の脂質レベルを判定してよい。
【００１０】
ある実施形態では、第２周波数範囲は、第１周波数範囲と異なってよい。
【００１１】
ある実施形態では、第２周波数範囲が、１〜５０ｋＨｚであってよい。ある実施形態では、第２周波数範囲が、１〜１００ＭＨｚであってよい。
【００１２】
ある実施形態では、前記システムは、複数の周波数での導電率を測定して、複数の導電率測定値を獲得してよい。
【００１３】
ある実施形態では、前記システムは、複数の導電率測定値から、皮膚の水分又は脂質レベルの平均を判定して、皮膚の水分又は脂質のレベルを判定してよい。
【００１４】
ある実施形態では、前記システムは、さらに、測定された誘電率を、皮膚の誘電率が周波数によって変化する態様を記載した1又はそれ以上の所定のプロファイルと比較し、及び、前記測定された誘電率と無線周波数信号の前記周波数との比較に基づいて、皮膚の水分又は脂質のレベルを判定してよい。
【００１５】
ある実施形態では、前記システムは、さらに、判定された水分又は脂質のレベルに基づいて、皮膚の状態を判定してよい。
【００１６】
ある実施形態では、前記システムは、さらに、判定された皮膚状態に基づいて、推奨するスキンケアを決定してよい。
【００１７】
第２の側面では、皮膚の水分又は脂質のレベルを判定するシステムを作動させる方法が提供される。前記システムは、皮膚に接触するのに適する少なくとも２つの電極と、前記少なくとも２つの電極を横切る周波数で電気信号を生成する信号発生器を備える。前記方法は、以下の工程：前記少なくとも２つの電極間の誘電率を測定する工程、及び、測定された誘電率と電気信号の周波数に基づいて、皮膚の水分又は脂質のレベルを判定する工程、を含む。
【００１８】
第３の側面では、非一時的コンピュータ読取可能媒体を備えるコンピュータプログラムであって、前記コンピュータ読取可能媒体には、具現化されたコンピュータ読取可能コードがあり、前記コンピュータ読取可能コードは、適当なコンピュータ又はプロセッサによって実行されると、前記コンピュータ又はプロセッサが、上記方法を実行する、コンピュータプログラムが提供される。
【００１９】
上記の側面及び実施形態では、測定された誘電率から水分又は脂質のレベルを判定する際に電気信号の周波数を考慮することにより、脂質レベルとは実質的に独立して、皮膚の水分レベルを測定することができ、及び／又は皮膚の水分レベルとは実質的に独立して、皮膚の脂質レベルを測定することができる。より具体的には、測定された誘電率と電気信号の周波数とに基づいて水分又は脂質のレベルを判定することにより、誘電率の測定を、測定される特性（例えば、水分又は脂質のレベル）に対してより精度の高い周波数で行ってよい。これにより、皮膚の水分又は脂質のレベルのより正確な測定値を判定しうる。さらに、皮膚の水分又は脂質のレベルは、単一システム（例えば、単一の装置）を用いて判定しうる。システム及び対応する方法は、皮膚の健康に関連する水分又は脂質のレベルの間のバランスを評価しうるように用いてよく、すなわち、適当なスキンケア処置及び製品の選択に用いうる。当該システム及び方法は、さらに、当該処置の進行状況を監視するのに用いてよい。
【００２０】
当該側面及び他の側面は以下に説明する実施形態を参照して明らかにされ、解明されるであろう。
【００２１】
例示的な実施形態は、以下の図面を参照して、例示的に記載されるにすぎない。
【図面の簡単な説明】
【００２２】
【図１】本明細書の一実施形態に関するシステムの説明図である。
【図２】周波数に関して、様々な皮膚タイプの誘電率のグラフである。
【図３】周波数に関して、様々な皮膚タイプの誘電率を比較する誘電率の比率を示す図である。
【図４】いくつかの実施形態に関する皮膚の脂質及び水分を判定する例示的な周波数範囲の表である。
【図５】一実施形態に関する様々な皮膚タイプの相対的な脂質及び水分を示す図である。
【図６】一実施形態に関する様々な皮膚状態に対する相対的な脂質及び水分を示す図である。
【図７】一実施形態に関する皮膚の脂質及び水分を判定するシステムを作動する方法の一例のフローチャートである。
【発明を実施するための形態】
【００２３】
上記のように、皮膚の水分（又はハイドレーション）又は脂質（又は皮脂又は油）含有量のレベルを判定するシステム及び方法が提供される。
【００２４】
図１は、皮膚の水分又は脂質のレベルを判定するシステム１００を示す。当該システムは、皮膚に接触するのに適する少なくとも２つ（例えば、少なくとも一対の）電極１０８と、少なくとも２つの電極１０８を横切る周波数で電気信号を生成する信号発生器１０６とを備える。いくつかの実施形態では、本明細書に記載のシステム１００は、装置であってよい。簡潔には、当該システム１００は、少なくとも２つの電極１０８の間の誘電率を測定し、測定された誘電率及び電気信号の周波数に基づいて皮膚の水分又は脂質のレベルを判定する。使用時には、少なくとも２つの電極と皮膚は電気回路を形成する。すなわち、少なくとも２つの電極１０８を横切って生成された電気信号は、少なくとも２つの電極１０８の間の皮膚を通過して、皮膚の誘電率を測定しうる。
【００２５】
いくつかの実施形態では、少なくとも２つの電極１０８は、電気信号を送信する少なくとも１つの活性電極と、少なくとも１つの活性電極から送信された電気信号を受信する少なくとも１つの対応する戻り電極とを備えてよい。いくつかの実施形態では、当該少なくとも２つの電極１０８は、少なくとも２つの微小電極を備えうる。当該少なくとも２つの電極１０８の電極は、少なくとも２つの電極１０８の一方からいかなる適当な距離に配置されてよい。例えば、いくつかの実施形態では、電極は、互いに０．１ｍｍ〜１ｍｍの範囲の距離に配置されてよい。このように、システム１００の感度を高めて、皮膚表面層等を測定しうる。
【００２６】
上記のように、本明細書では、皮膚の誘電率測定値は、水分又は脂質のレベルの両方に依存する可能性があり、それにより、公知の装置を用いて獲得されたハイドレーションレベルの測定が不正確になりうることが、本発明者らにより観察されている。測定された誘電率と電気信号の周波数に基づいて水分又は脂質のレベルを判定することにより、誘電率測定は、測定される特性（例えば、水分又は脂質のレベル）に対してより感度の高い周波数で行われてもよい。このようにして、皮膚の水分又は脂質の含有量のより正確な測定値を判定しうる。
【００２７】
当業者であれば、皮膚に接触するのに適する電極に精通するであろう。いくつかの実施形態では、パッド（又はパッチ）は、少なくとも２つの電極１０８を備えてよく、当該パッドは、皮膚に接触するのに適してよい。例えば、各電極は、パッドに部分的に埋め込まれてもよい。いくつかの実施形態では、当該少なくとも２つの電極１０８（又は少なくとも２つの電極１０８を備えるパッド）は、当該少なくとも２つの電極１０８（又は少なくとも２つの電極１０８を備えるパッド）を皮膚に接着させうる接着面を備えてよい。いくつかの実施形態では、当該少なくとも２つの電極１０８は、電極のアレイを備えてよい。いくつかの実施形態では、当該少なくとも２つの電極１０８（又は電極のアレイ）は、皮膚上の関連する領域を覆うように構成（又は配置）されてよい。例えば、電極のアレイは、皮膚状態の広域マッピングのために、皮膚のより広い領域の誘電率を測定するのに用いられてよい。いくつかの実施形態では、電極のアレイは、例えば、指紋センサを備えてよい。
【００２８】
上記のように、システム１００の信号発生器１０６は、少なくとも２つの電極１０８を横切る周波数で電気信号を生成するように構成される。いくつかの実施形態では、当該信号発生器１０６は、周波数パルスを生成するように構成されてよい。周波数パルスは、例えば、固定周波数パルス又は可変周波数パルスであってよい。いくつかの実施形態では、パルスは、低電圧パルスを含みうる。いくつかの実施形態では、当該信号発生器１０６は、無線周波（ＲＦ）信号を生成するように構成されてよい。したがって、信号発生器１０６が周波数パルスを生成するように構成されるいくつかの実施形態では、パルスは、高周波パルスを含んでよい。
【００２９】
図１に図示されるように、いくつかの実施形態では、システム１００は、さらに、増幅器１１０（例えば、高周波増幅器）を備えてよい。いくつかの実施形態では、当該増幅器１１０は、信号発生器１０６により出力される電圧を増幅しうる。図１に示すように、いくつかの実施形態では、システム１００は、さらに、誘電率測定システム（インピーダンス測定システム等）１１２を備えてよい。当該誘電率測定システム１１２は、例えば、少なくとも２つの電極１０８を横切る電圧を測定しうる。少なくとも２つの電極１０８が皮膚と接触する場合（例えば、システムの使用中）、誘電率測定システム１１２は、システム１００の少なくとも２つの電極１０８と皮膚とにより形成される回路を流れる電流を測定しうる。当該誘電率測定システム１１２は、測定された電流から電極間の誘電率を測定するように構成されてよい。当業者であれば、測定された電流から誘電率を導出しうる方法を認識するであろう。
【００３０】
いくつかの実施形態では、システム１００は、機械的に実装されてよく、例えば、電極間で測定された誘電率は、アナログディスプレイ上に表示されてよい。当該アナログディスプレイは、アナログディスプレイが水分又は脂質のレベルを表示するように較正されてよい（例えば、目盛りがシフトされてもよいし、スケールされてもよい）。
【００３１】
他の実施形態では、図１に示すように、システム１００は、プロセッサ１０２をさらに備えてよい。当該プロセッサ１０２は、例えば、信号発生器１０６を制御して、少なくとも２つの電極１０８を横切る周波数で電気信号を発生させるように構成されてよい。例えば、当該プロセッサ１０２は、所望の周波数、電圧、及び／又はパルス持続時間のパルスを生成するように信号発生器１０６を制御するのに適しうる。いくつかの実施形態では、誘電率測定システム１１２は、プロセッサ１０２により制御されうる。あるいは、又はそれに加えて、いくつかの実施形態では、誘電率測定システム１１２の出力は、その後の処理及び／又は出力（例えば、ユーザへの表示）のためにプロセッサ１０２に送信されてよい。
【００３２】
一般に、システム１００がプロセッサ１０２を備える実施形態では、プロセッサ１０２は、本明細書に記載の方法を実施するためにシステム１００の動作を制御しうる。当該プロセッサ１０２は、ソフトウェア及び／又はハードウェアを用いて、多数の方法で実装されて、本明細書に記載された様々な機能を実行しうる。特定の実施形態では、当該プロセッサ１０２は、本明細書に記載された方法の個々の又は複数の工程を実行するように、又は実行するために構成された、複数のソフトウェア及び／又はハードウェアモジュールを備えうる。当該プロセッサ１０２は、本明細書に記載の方法でシステム１００を制御又は動作させるように（例えば、ソフトウェア又はコンピュータプログラムコードを用いて）構成されるか又はプログラムされうる（例えば、ソフトウェア又はコンピュータプログラムコードを用いて）１又はそれ以上のプロセッサ（１又はそれ以上のマイクロプロセッサ、１又はそれ以上のマルチコアプロセッサ、及び／又は１又はそれ以上のデジタル信号プロセッサ（ＤＳＰ）等）、１又はそれ以上の処理ユニット及び／又はモジュール、及び／又は１又はそれ以上のコントローラ（１又はそれ以上のマイクロコントローラなど）を備えうる。
【００３３】
いくつかの実施形態では、例えば、プロセッサ１０２は、分散処理のために構成された複数の（例えば、相互運用された）プロセッサ、処理ユニット及び／又はモジュール、マルチコアプロセッサ及び／又はコントローラを備えてよい。当業者であれば、当該プロセッサ、処理ユニット及び／又はモジュール、マルチコアプロセッサ及び／又はコントローラは、異なる場所に配置されてよく、本明細書に記載された方法の異なる工程及び／又は１の工程の異なる部分を実行しうることを、理解するであろう。当該プロセッサ１０２は、いくつかの機能を実行する専用ハードウェア（例えば、アンプ、プリアンプ、アナログ／デジタル変換器（ＡＤＣ）及び／又はデジタル／アナログ変換器（ＤＡＣ））と、他の機能を実行するプロセッサ（例えば、１つ又は複数のプログラムされたマイクロプロセッサ、コントローラ、ＤＳＰ及び関連回路）との組み合わせとして実装されてよい。
【００３４】
図１に図示されるように、いくつかの実施形態では、システム１００は、メモリ１０４を備えてよい。当該メモリ１０４は、命令のセットを表す命令データで構成されてよい。例えば、当該メモリ１０４は、当該システム１００を本明細書に記載された方法で動作させるために、当該プロセッサ１０２によって実行されうるプログラムコードの形態で命令データを記憶するように構成されてよい。いくつかの実施形態では、当該命令データは各々、本明細書に記載された方法の個々の又は複数の工程を実行するように、又は実行するための、複数のソフトウェア及び／又はハードウェアモジュールを備えてよい。いくつかの実施形態では、当該メモリ１０４は、当該システム１００の１又はそれ以上の他の構成要素（例えば、当該プロセッサ１０２及び／又は当該システム１００の１又はそれ以上の他の構成要素）も構成する装置の部分であってよい。代替的な実施形態では、当該メモリ１０４は、システム１００の他の構成要素とは別個の装置の部分であってよい。
【００３５】
いくつかの実施形態では、メモリ１０４は、複数のサブメモリを備えてよく、各サブメモリは、命令データの部分を格納しうる。当該メモリ１０４が複数のサブメモリを備えるいくつかの実施形態では、命令のセットを表す命令データは、単一のサブメモリに格納されてよい。メモリ１０４が複数のサブメモリを構成する他の実施形態では、命令セットを表す命令データは、複数のサブメモリに格納されてもよい。例えば、少なくとも１つのサブメモリは、命令セットの少なくとも１つの命令を表す命令データを格納してよく、少なくとも１つの他のサブメモリは、命令セットの少なくとも１つの他の命令を表す命令データを格納してよい。このように、いくつかの実施形態によれば、異なる命令を表す命令データは、システム１００内の１又は以上の異なる場所に格納されてよい。いくつかの実施形態では、当該メモリ１０４は、当該システム１００のプロセッサ又はシステム１００のいかなる他の構成要素等のシステム１００により取得又は作成された情報、データ、信号（例えば、誘電率信号）及び測定値（例えば、誘電率測定値）を記憶するのに用いられてよい。
【００３６】
メモリは、ランダムアクセスメモリ（ＲＡＭ）、スタティックＲＡＭ（ＳＲＡＭ）、ダイナミックＲＡＭ（ＤＲＡＭ）、リードオンリーメモリ（ＲＯＭ）、プログラマブルＲＯＭ（ＰＲＯＭ）、消去可能ＰＲＯＭ（ＥＰＲＯＭ）、電気的に消去可能ＰＲＯＭ（ＥＥＰＲＯＭ）等の揮発性及び不揮発性のコンピュータメモリを含むキャッシュ又はシステムメモリ等のいかなるタイプの非一時的機械可読媒体を含んでよい。
【００３７】
システム１００のプロセッサ１０２は、メモリ１０４と通信するように構成されて、命令セットを実行しうる。当該命令セットは、プロセッサ１０２により実行されると、当該プロセッサ１０２に本明細書に記載された方法を実行させうる。
【００３８】
再び図１に戻ると、いくつかの実施形態では、システム１００は、少なくとも１つのユーザインタフェース１１４を備えてよい。いくつかの実施形態では、ユーザインタフェース１１４は、システム１００の１又はそれ以上の他の構成要素（例えば、プロセッサ１０２、メモリ１０４及び／又はシステム１００の１又はそれ以上の他の構成要素）を備える装置の部分であってよい。代替的な実施形態では、ユーザインタフェース１１４は、システム１００の他の構成要素とは別個の装置の部分であってよい。
【００３９】
ユーザインタフェース１１４は、システム１００のユーザ（例えば、医療専門家、皮膚科医、家庭内設定のユーザ、又はシステム１００の他のいかなるユーザ）に、本明細書の実施形態による方法から得られる情報を提供するのに用いられてよい。命令のセットは、プロセッサ１０２により実行されると、当該プロセッサ１０２に１又はそれ以上のユーザインタフェース１１４を制御させて、本明細書の実施形態による方法から生成される情報を提供しうる。例えば、いくつかの実施形態では、当該ユーザインタフェース１１４は、システム１００により判定された皮膚の水分又は脂質のレベルをレンダリング（例えば、提供、出力又は表示）するように構成されてよい。あるいは、又はそれに加えて、当該ユーザインタフェース１１４は、ユーザ入力を受信するように構成されてよい。換言すれば、当該ユーザインタフェース１１４によれば、システム１００のユーザは手動で、指示、データ、又は情報を入力することができてよい。当該命令のセットは、当該プロセッサ１０２により実行されると、当該プロセッサ１０２に、１又はそれ以上のユーザインタフェース１１４からユーザ入力を取得させてよい。
【００４０】
ユーザインタフェース１１４は、システム１００のユーザに対して情報、データ、又は信号をレンダリング（又は出力又は表示）させうるいかなるユーザインタフェースであってよい。あるいは、又はそれに加えて、当該ユーザインタフェース１１４は、システム１００のユーザに、ユーザ入力を提供し、システム１００と対話し、及び／又はシステム１００を制御させうるいかなるユーザインタフェースであってよい。例えば、当該ユーザインタフェース１１４は、１又はそれ以上のスイッチ、１又はそれ以上のボタン、キーパッド、キーボード、マウス、マウスホイール、タッチスクリーン又はアプリケーション（例えば、タブレット又はスマートフォン上の）、ディスプレイ画面、グラフィカルユーザインタフェース（ＧＵＩ）又は他の視覚レンダリング部品、１又はそれ以上のスピーカ、１又はそれ以上のマイク又は他のいかなるオーディオ部品、１又はそれ以上のライト、触覚フィードバック（例えば、振動機能）を提供する部品、又はいかなる他のユーザインタフェース、又はユーザインタフェースの組み合わせを備えてよい。
【００４１】
図１は、本開示の本側面を例示するのに必要な構成要素を示すに過ぎず、実際的な実施形態では、システム１００は、図示された構成要素に加えて他の構成要素を備えてよいことが理解されるであろう。例えば、当該システム１００は、当該システム１００に電力を供給するバッテリ又は他の電源、又はシステム１００を主電源に接続する手段を備えてよい。当該システム１００は、さらに、当該システム１００（又はシステム１００の構成要素）が、システム１００の部分であるか、又はシステム１００の外部にある（すなわち、システム１００とは別個又は遠隔にある）構成要素、インターフェース、メモリ、及び／又は装置と通信しうる通信インターフェース（又は回路）を備えてよい。当該通信インターフェースは、いかなる部品、インターフェース、メモリ、及びデバイスと無線接続、有線接続、又はいかなる他の通信（又はデータ転送）機構を介して通信しうる。いくつかの無線実施形態では、通信インターフェースは、例えば、通信用の、無線周波（ＲＦ）、ブルートゥース（登録商標）、又はいかなる他の無線通信技術を用いうる。
【００４２】
上記にて簡潔に記載したように、システム１００は、少なくとも２つの電極１１２間の誘電率を測定し、測定された誘電率と電気信号の周波数とに基づいて、皮膚の水分又は脂質のレベルを判定するよう構成される。
【００４３】
いくつかの実施形態では、信号発生器１０６は、第１周波数で電気信号を発生させ、第２周波数で電気信号を発生させるように構成され、システム１００は、発生した電気信号が第１周波数である場合、水分レベルを測定し、発生した電気信号が第２周波数である場合、脂質レベルを測定するように構成されてよい。
【００４４】
すなわち、判定に用いられる周波数値は、システムが水分又は脂質のレベルを判定する、に依存してよい。上記のように、皮膚の誘電率は、皮膚の脂質量及び水分量の両方に依存することが、本明細書の発明者らにより、実験的に見いだされた。
【００４５】
図２は、乳房組織２０２（例えば、脂質の多い組織）、湿潤皮膚２０４及び乾燥皮膚２０６各々の、周波数に対する（又は対又は関数として）誘電率のプロットを示す。図２から、様々な比率の誘電率が、改善された感度で、水分及び脂質レベルに対して最も精度が高い（したがって、測定に最適な）周波数範囲（例えば、周波数帯域）の確認用に用いられうることについて、判定されうる。
【００４６】
図３は、様々な周波数における誘電率の比率を示す。湿潤皮膚の脂質レベルに対する誘電率の比を線３０２で示し、乾燥皮膚に対する湿潤皮膚の比率を線３０４で示し、脂質レベルに対する乾燥皮膚の比率を線３０６に示す。次に、５つの周波数範囲ｆ１〜ｆ５が画定されてよく、各周波数範囲は、水分レベル又は脂質レベルのいずれかに対してより精度が高い（例えば、上記範囲で行われた誘電率測定値が、より大きく依存する）。換言すれば当該範囲では、脂質レベルと水分レベルとのコントラストは、水分と脂質のレベルのうちの具体的に一つの測定に最適でありうる。皮膚の水分及び脂質のレベルを測定するのに適する例示的な周波数範囲を、図４の表にまとめる。
【００４７】
すなわち、いくつかの実施形態では、信号発生器１０６により生成された電気信号の周波数は、測定された誘電率が、皮膚の水分又は脂質のレベルを示すか否かを判定しうる。
【００４８】
いくつかの実施形態では、信号発生器１０６は、第１周波数範囲の第１周波数で電気信号を発生するように構成され、システム１００は、信号の周波数が第１周波数である場合、測定された誘電率に基づいて皮膚の水分又は脂質のレベルを判定するように構成されてよい。いくつかの実施形態では、第１周波数範囲は、測定された皮膚の誘電率が水分のレベル（又は水分量）に感度があるように、湿潤皮膚の誘電率と乾燥皮膚の誘電率とのコントラストが十分に高い周波数で構成されてよい。いくつかの実施形態では、第１周波数範囲は、測定された皮膚の誘電率が脂質のレベル（又は脂質量）に対して感度が低くなるように、脂質の誘電率と湿った皮膚又は乾燥した皮膚との間のコントラストが低くなるような周波数で構成されてもよい。つまり、いくつかの実施形態では、信号の周波数が第１周波数である場合、誘電率は、脂質よりも水の影響をより大きく受ける。このように、第１周波数における誘電率の値は、皮膚の水分量により大きく依存し（例えば、より大きく依存する）、すなわち、第１周波数（又は第１周波数範囲内）での誘電率は、他の周波数（又は周波数範囲）での誘電率よりも正確に水分量を測定するのに用いられてよい。
【００４９】
いくつかの実施形態では、第１周波数範囲は、例えば１０Ｈｚ〜１０００Ｈｚの周波数範囲、例えば１０Ｈｚ〜９００Ｈｚの周波数範囲、例えば１０Ｈｚ〜８００Ｈｚの周波数範囲、例えば１０Ｈｚ〜７００Ｈｚの周波数範囲、例えば１０Ｈｚ〜６００Ｈｚの周波数範囲、例えば１０Ｈｚ〜５００Ｈｚの周波数範囲、例えば１０Ｈｚ〜４００Ｈｚの周波数範囲、例えば１０Ｈｚ〜３００Ｈｚの周波数範囲、例えば１０Ｈｚ〜２００Ｈｚの周波数範囲であってもよい。いくつかの実施形態では、第１周波数範囲は、例えば１０Ｈｚ〜１００Ｈｚの周波数範囲、例えば１０Ｈｚ〜９０Ｈｚの周波数範囲、例えば１０Ｈｚ〜８０Ｈｚの周波数範囲、例えば１０Ｈｚ〜７０Ｈｚの周波数範囲、例えば１０Ｈｚ〜６０Ｈｚの周波数範囲、例えば１０Ｈｚ〜５０Ｈｚの周波数範囲、例えば１５Ｈｚ〜４５Ｈｚの周波数範囲、例えば２０Ｈｚ〜４０Ｈｚの周波数範囲、例えば２５Ｈｚ〜３５Ｈｚの周波数範囲であってもよい。いくつかの実施形態では、例えば、第１周波数は、１０Ｈｚ、２０Ｈｚ、３０Ｈｚ、４０Ｈｚ、５０Ｈｚ、６０Ｈｚ、７０Ｈｚ、８０Ｈｚ、９０Ｈｚ及び１００Ｈｚから選択される周波数であってよい。いくつかの実施形態では、第１周波数範囲は、例えば、１００Ｈｚ〜１０００Ｈｚ、例えば、１５０Ｈｚ〜７５０Ｈｚ、例えば、２５０Ｈｚ〜６５０Ｈｚ、例えば、３５０Ｈｚ〜５５０Ｈｚから選択される周波数であってよい。いくつかの実施形態では、例えば、第１周波数は、１００Ｈｚ、１５０Ｈｚ、２００Ｈｚ、２５０Ｈｚ、３００Ｈｚ、３５０Ｈｚ、４００Ｈｚ、４５０Ｈｚ、５００Ｈｚ、５５０Ｈｚ、６００Ｈｚ、６５０Ｈｚ、７００Ｈｚ、７５０Ｈｚ、８００Ｈｚ、８５０Ｈｚ、９００Ｈｚ、及び１０００Ｈｚから選択される周波数であってよい。
【００５０】
一般に、信号発生器１０６により生成された電気信号の周波数が第１周波数である場合に測定された誘電率は、誘電率と水分レベル（例えば、水分量）との関係を用いて皮膚の水分レベルを判定するのに用いられてよい。いくつかの実施形態では、当該誘電率と水分レベルとの関係は、経験的な関係を備えてよい。一般に、信号発生器１０６により測定された誘電率は、検量線又は検量表を用いて水分レベルに変換されてよい。当該経験的関係、検量線及び／又はテーブルは、測定された皮膚の誘電率と水分レベルとの比較により導出されてよい。例えば、共焦点ラマンマイクロスペクトロメータを用いて測定された水分レベルと測定された皮膚の誘電率レベルを比較することにより。いくつかの実施形態では、経験的関係、検量線及び／又は表は、システム１００のメモリ１０４に格納されてよい。
【００５１】
経験的関係、較正曲線及び／又は表の導出は、本明細書に記載されたシステムを較正するのに用いられる較正工程といってよい。一般に、当該較正工程は、システムに対して一度だけ実行されてもよく、反復されなくてよい。いくつかの実施形態では、較正工程は、較正試料（又はファントム）上で実行されてよい。当該較正試料は、例えば、皮脂及び水でできたエマルジョンであってよい。皮脂及び水は、例えば乳化剤を用いて、公知の体積分率で混合されてよく、試料全体で均一な混合特性が達成される。いくつかの実施形態では、当該システムは、他の工業的標準、例えば、コルネオメータ（Corneometer）（例えば、水分レベル用）や皮脂計（例えば、脂質レベル用）に較正されてよい。
【００５２】
いくつかの実施形態では、信号発生器１０６は、第２周波数範囲の第２周波数で電気信号を発生するように構成されてよく、システム１００は、信号の周波数が第２周波数である場合、測定された誘電率に基づいて皮膚の脂質レベルを判定するように構成されてよい。
【００５３】
いくつかの実施形態では、第２周波数範囲は、皮膚の誘電率が水分レベル（又は水分量）に対してより感度が低くなるように、湿潤皮膚と乾燥皮膚の誘電率のコントラストが十分に低くなるような周波数で構成されてよい。いくつかの実施形態では、第２周波数範囲は、皮膚の誘電率が脂質レベル（又は脂質量）に対してより感度が高くなるように、脂質の誘電率と湿潤皮膚又は乾燥皮膚との間のコントラストがより高くなるような周波数で構成されてよい。このように、いくつかの実施形態では、信号の周波数が第２周波数である場合、誘電率は、水分よりも脂質の影響をより大きく受ける。このように、第２周波数における誘電率の値は、皮膚の脂質含有量により大きく依存し（例えば、より大きく依存する）、すなわち、第２周波数（又は第２周波数範囲内）における誘電率は、脂質含有量を測定について、他の周波数（又は周波数範囲）よりも正確に用いられうる。
【００５４】
いくつかの実施形態では、第２周波数範囲は、１ｋＨｚ〜５０ｋＨｚの周波数範囲、例えば５ｋＨｚ〜４５ｋＨｚの周波数範囲、例えば１０ｋＨｚ〜４０ｋＨｚの周波数範囲、例えば１５ｋＨｚ〜３５ｋＨｚの周波数範囲、例えば２０ｋＨｚ〜３０ｋＨｚの周波数範囲であってよい。例えば、いくつかの実施形態では、第２周波数範囲は、例えば、５ｋＨｚ〜２０ｋＨｚの周波数範囲、例えば、５ｋＨｚ〜２５ｋＨｚの周波数範囲、例えば、５ｋＨｚ〜３０ｋＨｚの周波数範囲、例えば、５ｋＨｚ〜３５ｋＨｚの周波数範囲、例えば、５ｋＨｚ〜４０ｋＨｚの周波数範囲、例えば、５ｋＨｚ〜４５ｋＨｚの周波数範囲、例えば、５ｋＨｚ〜５０ｋＨｚまでの周波数範囲であってよい。いくつかの実施形態では、例えば、第２周波数は、１ｋＨｚ、５ｋＨｚ、１０ｋＨｚ、１５ｋＨｚ、２０ｋＨｚ、２５ｋＨｚ、３０ｋＨｚ、３５ｋＨｚ、４０ｋＨｚ、４５ｋＨｚ及び５０ｋＨｚから選択される周波数であってよい。
【００５５】
他の実施形態では、第２周波数範囲は、例えば、１ＭＨｚ〜１００ＭＨｚ、例えば、１ＭＨｚ〜９０ＭＨｚ、例えば、１ＭＨｚ〜８０ＭＨｚ、例えば、１ＭＨｚ〜７０ＭＨｚ、例えば、１ＭＨｚ〜６０ＭＨｚから選択される周波数であってよい。例えば、１ＭＨｚ〜５０ＭＨｚの周波数範囲、例えば、１ＭＨｚ〜４０ＭＨｚの周波数範囲、例えば、１ＭＨｚ〜３０ＭＨｚの周波数範囲、例えば、１ＭＨｚ〜２０ＭＨｚの周波数範囲、例えば、１ＭＨｚ〜１０ＭＨｚの周波数範囲であってよい。他の実施形態では、第２周波数範囲は、例えば、２ＭＨｚ〜１０ＭＨｚの周波数範囲、例えば、２ＭＨｚ〜９ＭＨｚの周波数範囲、例えば、２ＭＨｚ〜８ＭＨｚの周波数範囲、例えば、２ＭＨｚ〜７ＭＨｚの周波数範囲、例えば、２ＭＨｚ〜６ＭＨｚの周波数範囲、例えば、２ＭＨｚ〜５ＭＨｚの周波数範囲であってよい。他の実施形態では、第２周波数範囲は、例えば、３０ＭＨｚ〜１００ＭＨｚの周波数範囲、例えば、４０ＭＨｚ〜９０ＭＨｚの周波数範囲、例えば、５０ＭＨｚ〜８０ＭＨｚの周波数範囲であってよい。いくつかの実施形態では、例えば、第２周波数は、１ＭＨｚ、２ＭＨｚ、３ＭＨｚ、４ＭＨｚ、５ＭＨｚ、１０ＭＨｚ、２０ＭＨｚ、３０ＭＨｚ、４０ＭＨｚ、５０ＭＨｚ、６０ＭＨｚ、７０ＭＨｚ、８０ＭＨｚ、９０ＭＨｚ、及び１００ＭＨｚから選択される周波数であってよい。
【００５６】
一般に、信号発生器１０６により生成された信号の電気的周波数が第２周波数である場合に測定される誘電率は、誘電率と脂質レベル（例えば、脂質量又は皮脂含量）との関係を用いて皮膚の脂質レベルを判定するのに用いられてよい。いくつかの実施形態では、当該誘電率と脂質レベルとの関係は、経験的関係を構成してよい。一般に、信号発生器１０６により測定された誘電率は、検量線又は表を用いて脂質レベルに変換されてよい。当該経験的関係、検量線及び／又は表は、測定された皮膚の誘電率と脂質レベルとの比較により導出されてよい。例えば、共焦点ラマンマイクロスペクトロメータを用いて測定された誘電率レベルと脂質レベルを比較することによって。いくつかの実施形態では、経験的関係、検量線及び／又は表は、システム１００のメモリ１０４に格納されてよい。
【００５７】
経験的関係、較正曲線及び／又は表の導出は、本明細書に記載されたシステムの較正に用いられる較正工程といってよい。一般に、当該較正工程は、システムに対して一度だけ実行されてもよく、反復されなくてよい。いくつかの実施形態では、較正工程は、較正試料（又はファントム）上で実行されてよい。当該較正試料は、例えば、皮脂及び水からできたエマルジョンであってよい。皮脂及び水は、例えば乳化剤を用いて、公知の体積分率で混合されて、試料全体で均一な混合特性を達成しうる。いくつかの実施形態では、当該システムは、他の工業的標準、例えば、コルネオメータ（Corneometer）（例えば、水分レベル用）や皮脂計（例えば、脂質レベル用）に較正されてよい。
【００５８】
本明細書で言及される第２周波数範囲は、第１周波数範囲とは異なる（又は、第１周波数は第２周波数とは異なる）。このようにして、システム１００は、皮膚の水分レベルを判定するのに用いられる周波数と、皮膚の脂質レベルを判定するのに用いられる周波数とを異なる周波数で用いることができ、皮膚の誘電率は、第１周波数及び第２周波数でそれぞれ水分レベル又は脂質レベルにより強く依存し（又はより強く影響を受け）、その結果、皮膚の水分レベル及び脂質レベルの判定がより正確となりうる。例えば、図４に示される周波数範囲は、成分（例えば、脂質又は水分のレベル）のうちの１つが、他の成分と混同する影響をより少なくして判定されうるように（又は選択され得るように）選択される。
【００５９】
いくつかの実施形態では、システム１００は、単一周波数での誘電率を測定して、単一の誘電率測定値を獲得するように構成されてよい。当該実施形態では、単一の誘電率測定は、皮膚の水分又は脂質レベルを判定するのに用いられてよい。例えば、誘電率測定は、生成された電気信号の周波数が第１周波数である場合の皮膚の水分レベル、又は生成された電気信号の周波数が第２周波数である場合の皮膚の脂質レベルを判定するのに用いられてよい。他の実施形態では、システム１００は、複数の周波数の誘電率を測定して、誘電率測定値を取得するように構成されてよい。当該実施形態では、誘電率測定値は、皮膚の水分又は脂質レベルの判定に用いられてよい。例えば、生成された電気信号の周波数が第１周波数範囲にある場合に取得された誘電率測定値は、皮膚の水分のレベルを判定するのに用いられてよく、生成された電気信号の周波数が第２周波数範囲にある場合に取得された誘電率測定値は、皮膚の脂質のレベルの判定に用いられてよい。
【００６０】
複数の誘電率測定値が取得されるいくつかの実施形態では、システム１００は、複数の誘電率測定値から皮膚の平均的な水分又は脂質レベルを判定して、皮膚の水分又は脂質レベルを判定するように構成されてよい。例えば、誘電率測定値の誘電率測定値は各々、皮膚の水分レベル又は脂質レベルの判定に用いられてよい（例えば、生成された電気信号の周波数が上記のように第１周波数範囲にあるか第２周波数範囲にあるかに応じて）。次いで、判定された水分及び／又は脂質のレベルの平均値が判定されてよい。
【００６１】
いくつかの実施形態では、判定された脂質レベルは、判定された水分レベルの補正に用いられてよい。同様に、いくつかの実施形態では、判定された水分レベルは、判定された脂質レベルの補正に用いられてよい。例えば、特定の周波数において、脂質が、測定された皮膚の誘電率の値の一定の割合に寄与することが知られており、脂質レベルが知られている場合、これを用いて、皮膚の水分レベルに帰属することができる誘電率の量を判定しうる（又はその逆もありうる）。
【００６２】
いくつかの実施形態では、システム１００は、測定された誘電率を、皮膚の誘電率が周波数によって変化する態様を記載した１又はそれ以上の所定のプロファイルと比較し、測定された誘電率と無線周波数信号の周波数との比較に基づいて、皮膚の水分又は脂質のレベル（レベル）を判定するように構成されてもよい。
【００６３】
所定のプロファイルの例は、図２に示されるようなものである。図２は、異なる皮膚特性（例えば、高脂質含有量、高水分含有量及び低水分含有量）について、皮膚の誘電率が周波数に関して変化する態様を例示する。当業者は、図２が単に例示的なプロファイルを示しているだけで、測定された誘電率レベルが、例えば、水分及び脂質の異なるレベル（例えば、レベルの異なる組み合わせ）を表すプロファイルの範囲と比較されてよいことを理解するであろう。
【００６４】
いくつかの実施形態では、測定された誘電率（例えば、複数の誘電率レベル）を１又はそれ以上の所定のプロファイルと比較することは、誘電率レベルの分布を所定のプロファイルに関連付けられた形状との比較を含んでよい。例えば、誘電率測定値の大きさ、傾き、又は第１微分又は第２微分が、誘電率測定値が所定のプロファイルの大きさ、傾き、又は第１微分又は第２微分と一致するかを識別するために、誘電率測定値の大きさ、傾き、又は第１微分又は第２微分を判定し、１又はそれ以上の所定のプロファイルと比較してよい。
【００６５】
いくつかの実施形態では、皮膚の水分及び／又は脂質のレベルは、最適合の所定のプロファイル（例えば、誘電率測定値に対する最適な適合を表すプロファイル）から判定されてよい。当業者であれば、複数の測定値に対して最適合するプロファイルを判定する方法、例えば最小二乗法等の方法に精通しているであろう。このようにして、誘電率測定値を既知のプロファイルに適合させて、皮膚の水分及び／又は脂質のレベルをより正確に決定しうる。
【００６６】
本明細書に記載された実施形態のいずれかにおいて、システム１００は、当該測定された水分又は脂質のレベルに基づいて皮膚の状態を判定するようにさらに構成されてよい。図５は、脂質レベル（例えば、油性）及び水分レベル（例えば、ハイドレーションレベル）が、皮膚をいくつかのタイプのうちの１つに特徴付けるのに用いうることを示す。例えば、乾燥肌５０２は、低脂質及び低水分であり、乾燥油性肌５０４は、低脂質及び高脂質レベルであり、正常肌５０６は、水分及び脂質がともに中程度のレベルであり、水和油性肌５０８は、高脂質レベル及び高水分レベルであり、水和油性肌５１０は、高水分レベル及び低油性レベルである。いくつかの実施形態では、システム１００は、判定された水及び脂質の組み合わせが、図５に示すチャート（又はパラメータ空間）上のどこに該当するかに基づいて、皮膚の状態を決定してよい。
【００６７】
図６では、水分及び脂質レベルの異なる組み合わせは、さらに、いくつかの実施形態による、異なる皮膚状態（例えば、皮膚学的状態）に関連してよい。アトピー性皮膚炎等の皮膚状態は、皮膚の水分保持機能の低下、増加した経表皮水分損失（ＴＥＷＬ）、及び防御機能の欠陥を反映して、皮膚ハイドレーションレベルが低下する。同様の症状は、乾癬６０６、湿疹６１４及び尋常性魚鱗癬６０４に罹患する個人に見られる。それにもかかわらず、当該疾患は、ハイドレーションと油性との間のバランスに関して特異な皮膚状態を示す。湿疹６１４は、顕著な脂質の低下（〜２５％）と組み合わされた軽度の水分損失（数％）をもたらし、一方、乾癬６０６は、ハイドレーション（〜７０％）及び脂質（〜４０〜７０％）レベルの劇的な低下を示す。尋常性魚鱗癬６０４は、表在性皮膚脂質のレベルが有意に変化しない（〜±１５％）のに対し、ハイドレーションレベルの低下（〜６３％）を示す。皮膚の健康は、皮膚の表在性脂質構造の連続性に依存する皮膚バリア機能の安定性と関連している。図６に示された他の皮膚状態は、脂漏症６０２、尋常性にきび６１２、接触皮膚炎６０８、及び薬疹（例えば、アレルギー）６１０を含む。
【００６８】
角質層における脂質相挙動は、皮膚防御機能に重要と考えられるが、それは皮膚の表在性脂質が角質層で水分調節因子として機能することが見いだされているからである。すなわち、このように皮膚の水分及び／又は脂質レベルを判定することで、システム１００が皮膚の状態を判定することが可能となり、皮膚の全体的な健康状態の指標として用いうる。いくつかの実施形態では、判定された皮膚の状態は、ユーザインタフェース上にレンダリング（又は提供、出力、又は表示）されてよい。
【００６９】
いくつかの実施形態では、さらに、皮膚の水分又は脂質のレベルに基づいて皮膚の状態を判定するには、システム１００は、判定された皮膚状態に基づいて、推奨するスキンケアを決定するように、構成されてよい。例えば、システム１００が、水分及び／又は脂質のレベルが皮膚状態（例えば、湿疹）と一致していると判定する場合、システム１００は、皮膚状態を改善する局所クリーム、軟膏又は他の治療を推奨（又は提案）してよい。いくつかの実施形態では、決定された推奨は、ユーザインタフェース上でレンダリング（又は提供、出力、又は表示）されてよい。
【００７０】
いくつかの実施形態では、システム１００は、メモリ（例えば、データ記憶装置、データベース又はサーバ）に接続されてよい。例えば、当該接続は、有線又は無線接続であってよい。当該実施形態では、システム１００は、皮膚の状態を決定した後、及び／又は推奨するスキンケアを決定した後、当該決定をメモリに送信するように構成されてよい。いくつかの実施形態では、システム１００は、周期的な間隔で皮膚の脂質及び／又は水分レベルを決定するように構成されてよい。当該実施形態では、システム１００は、結果をメモリに記憶するように構成されてよい。このようにして、システム１００は、皮膚の状態を追跡し、及び／又は経時的な改善又は変化を判定しうる。したがって、本明細書に記載されたシステム１００は、いくつかの実施形態によれば、異なる場所での皮膚ハイドレーション及び脂質レベルの変動を考慮に入れ、また、異なる気候変動下での皮膚の状態を定量的に測定しうる。
【００７１】
システム１００は、皮膚の脂質レベル及び水分レベルの両方を測定しうる、非接触、携帯可能、低コスト、かつ迅速な解決法を提供しうる。したがって、システム１００は、デュアルモダリティを備える。さらに、測定されたデータを保存して、経時的に皮膚の状態を監視及び制御しうる。
【００７２】
図７を参照すると、皮膚の水分又は脂質のレベルを判定するシステム１００を作動する方法７００もまた提供される。システム１００は、上記のとおりである。特に、当該システム１００は、皮膚に接触するのに適する少なくとも２つの電極１０８と、前記少なくとも２つの電極１０８を横切る周波数で電気信号を生成する信号発生器１０６を備える。ブロック７０２では、方法７００は、少なくとも２つの電極１０８の間の誘電率を測定することを含む。ブロック７０４では、方法７００は、測定された比誘電率と電気信号の周波数とに基づいて、皮膚の水分又は脂質のレベルを決定することを含む。当該工程は、システム１００によって実行されるものとして記載され、上記の詳細は、図７のブロック７０２及び７０４における方法にも同様に適用されることが理解されるであろう。
【００７３】
さらに、非一時的コンピュータ読取可能媒体を備えるコンピュータプログラム製品が提供され、当該コンピュータ読取可能媒体は、そこに具現化されたコンピュータ読取可能コードを有し、当該コンピュータ読取可能コードは、適当なコンピュータ又はプロセッサにより実行されると、コンピュータ又はプロセッサが本明細書に記載された方法のいずれかを実行するように構成される。
【００７４】
したがって、本明細書に記載された実施形態は、本発明を実施するように適合されたコンピュータプログラム、特にキャリア上又はキャリア内のコンピュータプログラムにも適用されることが理解されるであろう。当該プログラムは、部分的にコンパイルされた形態等のソースコード、オブジェクトコード、コード中間ソース及びオブジェクトコードの形態であってよく、又は本発明の実施形態による方法の実施に用いるのに適する他の形態であってよい。また、当該プログラムは、多くの異なるアーキテクチャ設計を有してよいことが理解されるであろう。例えば、本発明による方法又はシステムの機能を実装するプログラムコードは、１又はそれ以上のサブルーチンに細分化されてよい。当該サブルーチンの間で機能を分配する多くの異なる方法は、当業者には明らかであろう。当該サブルーチンは、１つの実行可能ファイルに一緒に格納されて、自己完結型のプログラムを形成してよい。当該実行可能ファイルは、コンピュータ実行可能命令、例えば、プロセッサ命令及び／又はインタプリタ命令（例えば、Java（登録商標）インタプリタ命令）で構成されていてよい。
【００７５】
あるいは、サブルーチンの1又は複数又はすべてを少なくとも1つの外部ライブラリファイルに格納し、静的又は動的に、例えばランタイムにメインプログラムとリンクさせうる。メインプログラムは、サブルーチンのうちの少なくとも１つへの少なくとも１つの呼び出しを含む。サブルーチンはまた、互いへの関数呼び出しを含んでよい。コンピュータプログラム製品に関連する実施形態は、本明細書に記載された方法の少なくとも１つの各処理段階に対応するコンピュータ実行可能な命令かを備える。当該命令は、サブルーチンに細分化されてよく、静的又は動的にリンクされてもよい１又はそれ以上のファイルに格納されてよい。コンピュータプログラム製品に関連する別の実施形態は、本明細書に記載のシステム及び／又は製品の少なくとも１つの各手段に対応するコンピュータ実行可能な命令を備える。当該命令は、サブルーチンに細分化されてよく、及び／又は静的又は動的にリンクされてよい１又はそれ以上のファイルに格納されてよい。
【００７６】
コンピュータプログラムのキャリアは、プログラムを運ぶことができるいかなる存在物又は装置であってよい。例えば、キャリアは、データ記憶装置、例えば、ＣＤ-ＲＯＭや半導体ＲＯＭ等のＲＯＭや、磁気記録媒体、例えば、ハードディスク等を含んでよい。さらに、キャリアは、電気信号や光信号等の伝送可能なキャリアであってよく、電気ケーブルや光ケーブルを介して伝送されてよく、無線等で伝送されてよい。プログラムが当該信号で具現化されている場合、キャリアは、当該ケーブル又は他の装置又は手段によって構成されていてよい。あるいは、キャリアは、プログラムが埋め込まれた集積回路であってよく、集積回路は、関連する方法を実行するように適合されるか、又は関連する方法の実行に用いられる。
【００７７】
開示された実施形態への変形は、図面、開示、及び添付の特許請求の範囲の検討から、本明細書に記載された原理及び技術を実践する当業者によって理解され、効果を得ることができる。特許請求の範囲における用語「含む・備える」は、他の要素又は工程を排除するものではなく、不定冠詞は、複数を排除するものではない。単一のプロセッサ又は他のユニットは、特許請求の範囲に引用された複数の項目の機能を果たしうる。特定の手段が相互に異なる従属請求項で引用されるという単なる事実は、当該手段の組み合わせを有利に用いえないことを示すものではない。コンピュータプログラムは、光記憶媒体又は他のハードウェアと共に又は他のハードウェアの一部として供給される固体媒体等の適当な媒体に記憶又は配布されてよく、インターネット又は他の有線又は無線の電気通信システムを介して等、他の形態で配布されてよい。特許請求の範囲に記載された参照符号は、その範囲を限定するものと解釈されるべきではない。
【図１】
2021508527.tif 000003
【図２】
2021508527.tif 000004
【図３】
2021508527.tif 000005
【図４】
2021508527.tif 000006
【図５】
2021508527.tif 000007
【図６】
2021508527.tif 000008
【図７】
2021508527.tif 000009
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
皮膚の水分又は脂質のレベルを判定するシステムであって、以下の、
皮膚に接触するのに適する少なくとも２つの電極、及び
第１周波数範囲の第１周波数及び第２周波数範囲の第２周波数で、前記少なくとも２つの電極を横切る電気信号を生成する信号発生器、
を備え、ここで、前記第２周波数範囲は、前記第１周波数範囲と異なり、かつ、前記システムは、
前記少なくとも２つの電極間の誘電率を測定し、並びに、
前記電気信号の周波数が前記第１周波数の場合、前記測定された誘電率に基づいて、皮膚の水分レベルを判定し、及び／又は、
前記電気信号の周波数が前記第２周波数の場合、前記測定された誘電率に基づいて、皮膚の脂質レベルを判定する、
システム。
【請求項２】
第１周波数範囲が、１０〜１０００Ｈｚである、請求項１に記載のシステム。
【請求項３】
第１周波数範囲が、１０〜５０Ｈｚ、又は１５０〜７５０Ｈｚである、請求項１又は２に記載のシステム。
【請求項４】
第２周波数範囲が、１〜５０ｋＨｚ、又は１〜１００ＭＨｚである、請求項１〜３のいずれか一項に記載のシステム。
【請求項５】
複数の周波数での導電率を測定して、複数の導電率測定値を獲得する、請求項１〜４いずれか一項に記載のシステム。
【請求項６】
複数の導電率測定値から、皮膚の水分又は脂質レベルの平均を判定して、皮膚の水分又は脂質のレベルを判定する、請求項５に記載のシステム。
【請求項７】
測定された誘電率を、皮膚の誘電率が周波数によって変化する態様を記載した1又はそれ以上の所定のプロファイルと比較し、及び、
前記測定された誘電率と無線周波数信号の前記周波数との比較に基づいて、皮膚の水分又は脂質のレベルを判定する、
請求項１〜６のいずれか一項に記載のシステム。
【請求項８】
さらに、判定された水分又は脂質のレベルに基づいて、皮膚の状態を判定する、請求項１〜７のいずれか一項に記載のシステム。
【請求項９】
さらに、判定された皮膚状態に基づいて、推奨するスキンケアを決定する、請求項８に記載のシステム。
【請求項１０】
皮膚の水分又は脂質のレベルを判定するシステムを作動させる方法であって、前記システムは、皮膚に接触するのに適する少なくとも２つの電極と、第１周波数範囲の第１周波数及び第２周波数範囲の第２周波数で、前記少なくとも２つの電極を横切る電気信号を生成する信号発生器を備え、ここで、前記第２周波数範囲は、前記第１周波数範囲と異なり、かつ、前記方法は、以下の工程：
前記少なくとも２つの電極間の誘電率を測定する工程、並びに、
前記電気信号の周波数が前記第１周波数の場合、前記測定された誘電率に基づいて、皮膚の水分レベルを判定する工程、及び／又は、
前記電気信号の周波数が前記第２周波数の場合、前記測定された誘電率に基づいて、皮膚の脂質レベルを判定する工程
を含む、方法。
【請求項１１】
コンピュータ読取可能媒体を備えるコンピュータプログラムであって、前記コンピュータ読取可能媒体には、具現化されたコンピュータ読取可能コードがあり、前記コンピュータ読取可能コードは、適当なコンピュータ又はプロセッサによって実行されると、前記コンピュータ又はプロセッサが、請求項１０に記載の方法を実行する、コンピュータプログラム。
【国際調査報告】
2021508527.tif 000010
2021508527.tif 000011
2021508527.tif 000012